(57)【要約】  カミソリ及びその構成要素が、その製造方法と同様に提供される。
2009514645.tif 000002
【特許請求の範囲】
【請求項１】
前縁部と後縁部とを有するハウジングと、
前縁部と後縁部との間に設けられた１つ以上のシェービングブレードと、
シェービング補助ホルダーと、
シェービング補助ホルダー上に実装された、少なくとも１つのシェービング補助部分と、を備え、
シェービング補助部分が約０．１重量％〜約１０重量％のポリオキシエチレンと石鹸素地とを含むことを特徴とするシェービングカートリッジ。
【請求項２】
シェービング補助部分がシリコーン架橋ポリマーを更に含むことを特徴とする請求項１に記載のシェービングカートリッジ。
【請求項３】
シリコーンポリマーを更に含むことを特徴とする請求項２に記載のシェービングカートリッジ。
【請求項４】
シリコーン架橋ポリマーが、ジメチコンＰＥＧ−７パンテニルリン酸塩、ジメチコンＰＥＧ−７リン酸塩、ジメチコンＰＥＧ−７ウンデシレネート、ジメチコン／メチコンコポリマー、パーフルオロノイルエチルジメチコンメチコンコポリマー、ジメチコン内のジメチコン／ビニルジメチコン架橋ポリマー、ミネラルオイル内のビニルジメチコン／ラウリルジメチコン架橋ポリマー、スクアラン内のビニルジメチコン／ラウリルジメチコン架橋ポリマー、ビニルジメチコン／メチコンシルセスキオキサン架橋ポリマー、スクアレン及びラウリルジメチコン／ポリグリセリン−３架橋ポリマー、トリエチルヘキサノイン及びラウリルジメチコン／ポリグリセリン−３架橋ポリマー、及びジメチコン／ポリグリセリン−３架橋ポリマー及びジメチコン、ＰＥＧ／ＰＰＧ−２０／６ジメチコン、ベヘノキシジメチコン、Ｃ２４−２８アルキルメチコン、ジメチコン／ビニルジメツチン（ｄｉｍｅｔｈｕｃｉｎｅ）架橋ポリマー、並びにＣ１２−Ｃ１４  パレス（Ｐａｒｅｔｈ）−１２、から成る群から選択されることを特徴とする請求項３に記載のシェービングカートリッジ。
【請求項５】
シェービング補助部分が、ポリエチレン、ポリブテン、及びミネラルオイル組成物を更に含むことを特徴とする請求項１に記載のシェービングカートリッジ。
【請求項６】
シェービング補助部分が、約０．２５重量％〜約５重量％のシリコーン架橋ポリマー、約１０重量％〜約６０重量％のステアリン酸ナトリウム、約０．５重量％〜約８重量％の半固形エステル、約０．２５重量％〜約１０重量％のポリエチレングリコール誘導体、および約０．３重量％〜約１０重量％のポリエチレン、ポリブテン及びミネラルオイル組成物を更に含むことを特徴とする請求項１に記載のシェービングカートリッジ。
【請求項７】
石鹸素地が注入石鹸素地（poured soap base）であることを特徴とする請求項１に記載のシェービングカートリッジ。
【請求項８】
石鹸素地が押出石鹸素地（extruded soap base）であることを特徴とする請求項１に記載のシェービングカートリッジ。
【請求項９】
成形シェービング補助部分と、
成形シェービング補助部分が実装されたシェービング補助ホルダーと、を備え、
成形シェービング補助部分が約０．１％〜約１０重量％のポリオキシエチレン及び石鹸素地を含み、シェービング補助ホルダーがカミソリに取り付けられるように構成されていることを特徴とするカミソリ構成要素。
【請求項１０】
前記組成物が約０．２５〜約１０重量％のポリオキシエチレンと石鹸素地とを含むことを特徴とする組成物。
【発明の詳細な説明】
【技術分野】
【０００１】
本発明は、シェービングの生成、カミソリ、及びカートリッジに関する。
【背景技術】
【０００２】
湿式シェービング用のカミソリには通常、ハンドルにより支えられるブレードユニットを含み、ブレードユニットはそれぞれ先鋭な刃を有する１枚以上の細長いブレード（例えば、直線の先鋭な刃）を含む。ブレードユニットは、ブレードエッジ（単数又は複数）が鈍くなった時にかみそり全体を廃棄するという意図のもとで、ハンドルに固定的に取り付けられてもよい。あるいは、ブレードユニットは、取外し可能にハンドルに連結されて、使用したブレードユニットを新しいブレードユニットと交換可能にすることができる。交換可能なブレードユニットは普通、カートリッジと呼ばれる。
【発明の開示】
【発明が解決しようとする課題】
【０００３】
かみそりの使用者の中には、特に女性は、このタイプのかみそりをシャワー中に使用する人もいる。例えば、女性は脚の毛を剃る時にはしばしば、剃る予定の皮膚の区域に石鹸の薄膜又は泡を塗布してその区域の毛を剃り、次に別の区域に石鹸を塗布してその区域の毛を剃る。シェービングが完了するまで、このプロセスが繰り返される。この方法でのシェービングは、かみそりの使用者の多くが滑り易いバスルームの床上にぎこちない姿勢で立ったままで、片手に湿った石鹸バーを保持して他方の手でかみそりを操ることを一般に必要とするため、困難でイライラさせられることがある。
【０００４】
かみそり上に取り付けられた石鹸を提供することによって、この問題に対処しようという試みがなされた。例えば、米国特許第６，５８４，６９０号には、例えばカートリッジを取り巻く石鹸の塊の形体で、シェービング準備物を担持するかみそりが記載されている。
【課題を解決するための手段】
【０００５】
石鹸素地及び１つ以上の耐摩耗性成分を含むシェービング補助組成物が、シェービング補助組成物の形成方法と同様に、提供される。耐摩耗性成分は、シェービング補助組成物の耐摩耗性を増すことができ（耐摩耗性成分を含まないシェービング補助組成物と比較し）、そのためシェービング補助組成物は何回ものシェービングにも耐え、及び／又はシェービング補助組成物は水があるところでもすぐには溶解したり分解したりしない。
【０００６】
多くの耐摩耗性成分はプロセスセンシティブである。その他の多くの望ましい成分、例えば、保湿剤、芳香剤は、同様にプロセスセンシティブである場合がある。そのようなプロセスセンシティブな成分の、成形石鹸素地のシェービング補助組成物への組み込みを可能にする方法が提供される。一般に、シェービング補助組成物は、溶解した石鹸素地をまず作成し、シェービング補助組成物を作るために溶解した石鹸素地へプロセスセンシティブな成分を組み込むことによって形成される。シェービング補助組成物はその後冷却される。プロセスセンシティブな成分を追加してからシェービング補助組成物を冷却するまでに要する期間は、耐摩耗性成分の大幅な劣化を防ぐのに十分短く保たれる（例えば、約１時間以下）。得られた成形シェービング補助組成物は、耐摩耗性成分の存在のために、より高い耐摩耗性を有することができる。成形シェービング補助組成物は、例えばそれをカミソリのヘッド又はカートリッジへ組み込むことにより、カミソリに組み込むことができる。
【０００７】
第一の態様では、シェービングカートリッジは前縁部及び後縁部を有するハウジング、前縁部及び後縁部の間に設けられた１つ以上のシェービングブレード、並びにシェービング補助ホルダーを含んで提供される。カートリッジは、シェービング補助ホルダーに実装された少なくとも１つのシェービング補助部分を含む。シェービング補助部分は約０．１〜約１０重量％のポリオキシエチレン及び注入石鹸素地を含む。
【０００８】
別の態様では、カミソリへ取り付けられるよう構成される、カミソリの構成要素が提供される。カミソリの構成要素は成形シェービング補助部分及び、成形シェービング補助部分が実装されるシェービング補助ホルダーを含む。成形シェービング補助部分は、約０．１〜約１０重量％のポリオキシエチレン及び石鹸素地を含む。
【０００９】
別の態様では、約０．１〜約１０重量％のポリオキシエチレン及び注入石鹸素地を含む組成物が提供される。
【００１０】
ある方法の態様では、成形シェービング補助部分の製造方法が提供される。前記方法は、石鹸素地を石鹸素地が溶解するのに十分な温度まで熱し、シェービング補助組成物を形成するために１つ以上のプロセスセンシティブな成分を石鹸素地溶解物へ追加し、成形シェービング補助部分を形成するためシェービング補助組成物を冷却することを含む。プロセスセンシティブな成分を追加してからシェービング補助組成物を冷却するまでに要する期間は、耐摩耗性成分の相当の劣化を防ぐのに十分短く保たれる。
【００１１】
実施形態には、次の特徴の１つ以上を含めることができる。
【００１２】
シェービング補助組成物は、約１重量％〜約５重量％のポリオキシエチレンを有することができる。ポリオキシエチレンは約１００，０００〜約５，０００，０００の分子量を有することができる。シェービング補助組成物は、シリコーンポリマー（例えば、約０．２５重量％〜約５重量％のシリコーンポリマー）を更に含むことができる。シェービング補助組成物は、ポリエチレン、ポリブテン、及びミネラルオイル組成物を更に含むことができる。組成物は、約０．２５重量％〜約５重量％のシリコーンポリマー、約１０重量％〜約６０重量％の脂肪酸塩、約０．１重量％〜約８重量％のエステル、約０．２５重量％〜約１０重量％のＰＥＧ誘導体、並びに約０．３重量％〜約１０重量％のポリエチレン、ポリブテン及びミネラルオイル組成物を含むことができる。石鹸素地は、注入石鹸素地、押出石鹸素地、又はそれらの組み合わせとなることができる。
【００１３】
プロセスセンシティブな成分は耐摩耗性成分となり得る。プロセスセンシティブな成分を追加してからシェービング補助組成物を冷却するまでに要する期間は、例えば、約１時間以下となり得る。シェービング補助組成物は、冷却前に型へ注入できる。前記方法は、石鹸素地を形成するため、鹸化するタロー又は植物性脂肪を更に含むことができる。前記方法は、石鹸素地を形成するため、鹸化する獣脂又は植物性脂肪を更に含むことができる。第一組成物は、グリセリン、Ｃ１５〜Ｃ２５アルコール、ステアリン酸、微晶性ワックス、及び界面活性剤（例えば、ナトリウムラウリルエーテルサルフェート）を更に含むことができる。シェービング補助部分は連続的なプロセスで作ることができる。成形シェービング補助部分は、カミソリブレードユニットへ組み込むことができる。
【００１４】
プロセスセンシティブな成分とは、石鹸素地の形成に伴うプロセス条件（例えば、温度、剪断力及び時間）に曝された時、劣化又は部分的な劣化を受けやすい成分である。これらの成分は、石鹸素地の形成に伴う時間より短い期間であれば、プロセス条件に耐えられる場合があり、又、石鹸素地の形成に伴う時間に渡るプロセス条件のいくつか（例えば、温度又は剪断力）には耐えられる場合があるが、その時間中すべてのプロセス条件には持ちこたえられず、やはりプロセスセンシティブであるとみなされる。
【００１５】
実施形態には、次の利点の１つ以上を備えることができる。
【００１６】
成形シェービング補助組成物は、耐摩耗性成分を含まないシェービング補助組成物を比較し、更に高い耐摩耗性及び／又は耐久力を示すことができる。成形シェービング補助組成物はより多くのシェービングに耐えることができ、湿った環境で及び／又は水に曝された時、より長く耐えることができ、及び／又は他の望ましいシェービング特性を提供できる。
【００１７】
いくつかの実施形態では、成形シェービング補助は、耐摩耗性成分に欠けるシェービング補助組成物と同じシェービング回数を提供しながら、サイズを小さくできる。これにより、カミソリのヘッド全体の体積を小さくでき、カミソリの性能及び／又は美的外見を改善できる。
【００１８】
他に定義されない限り、本明細書において使用される全ての技術的用語及び科学的用語は、本発明が属する、当業者に慣例的に理解されるものと同じ意味を有する。本明細書に述べられるものと類似又は同等の方法及び材料が、本発明の実践又はテストで使用できるが、好適な方法及び材料は以下に述べられる。本明細書に記載された全ての出版物、特許出願、特許、及びその他の参照は、その全体が参照として本明細書に組み込まれる。不一致が生じた場合、定義を含み、本明細書が支配する。更に、材料、方法、及び実施例は一例にすぎず、制限することは意図していない。
【００１９】
本発明のその他の特徴及び利点は、以下の、発明を実施するための最良の形態及び請求項の部分から明らかになる。本明細書における説明において、全てのパーセンテージは重量パーセントであり、指示がない限りシェービング補助組成物全体の重量に基づいている。
【発明を実施するための最良の形態】
【００２０】
石鹸素地の、シェービング補助組成物を有するカミソリは、別個のシェービング補助（例えば、石鹸、シェービングクリーム又はジェル）を必要とせずに使用でき、カミソリの使用を容易にする。例えば、シャワー中にシェービング補助を肌へ付け直し続けなくても、シェービングするのを可能にする。シェービング補助組成物が、耐摩耗性を増加しない場合と比べてより多くの回数のシェービングに耐えられるよう、及び／又はシェービング補助組成物が水の存在によって素早く溶解したり分解したりしないよう、シェービング補助の耐摩耗性を増やすことが望ましい。但し、成形シェービング補助組成物の耐摩耗特性を改善できる多くの耐摩耗性成分がプロセスセンシティブであり、石鹸の形成に伴う温度、剪断力、及び時間に曝された時、劣化する場合がある。その他の多くの望ましい成分、例えば保湿剤、芳香剤なども同様にプロセスセンシティブである。
【００２１】
本発明によって、そのようなプロセスセンシティブな成分を成形石鹸素地のシェービング補助組成物への組み込みが可能となる。一般に、シェービング補助組成物は、例えば押出石鹸素地又は注入石鹸素地などの石鹸素地（例えば、石鹸素地作成）をまず獲得することによって形成される。プロセスセンシティブな成分は、シェービング補助組成物を形成するために石鹸素地へ組み込まれる。一般に、石鹸素地が注入石鹸素地である場合、これは注入石鹸素地を溶解し、プロセスセンシティブな成分を追加し、その後得られた組成物を冷却することにより達成される。例えば、プロセスセンシティブな成分が実質的に劣化していない状態である時間内（例えば、約１時間以内）、組成物を型の中に配置して、冷却する。石鹸素地が押出石鹸素地である場合、石鹸素地及びプロセスセンシティブな成分は、成形シェービング補助組成物を形成するため、ミル、粉砕、及び／又はその他の混合技術によって混合され、精製され、押出される。一般に、高品質なシェービング補助組成物は、プロセスセンシティブな成分が再度溶解しないようにすることによって達成できる。
【００２２】
得られた成形シェービング補助組成物は、耐摩耗性成分の存在のために、より大きい耐摩耗性を有することができる。成形シェービング補助組成物は、例えばカミソリヘッド又はカートリッジへ組み込むことによりカミソリに組み込むことができる。
【００２３】
石鹸素地
シェービング補助組成物は、石鹸素地、例えば注入石鹸素地又は押出石鹸素地を含む。石鹸素地の基本的な構成要素は、素地を形成するため鹸化又は中和された植物油又はタロー、又は合成注入石鹸素地であり得る。ココナッツ酸又はその他の脂肪酸の部分（例えば、約２５重量パーセントを超える）を含む過脂肪材料もまた使用できる。いくつかの実施形態では、シェービング補助組成物は植物油又はタローなど、又は鹸化又は中和された前述の材料の組み合わせを含む素地を含む。植物油又はタローの鹸化又は中和は、素地を形成するためのグリセロール及び脂肪酸塩の生成をもたらす。シェービング補助組成物は、不透明、半透明又は透明な、約５０重量％〜約１００重量％の鹸化又は中和された素地（例えば、約７５重量％〜約１００重量％の鹸化又は中和された素地）を含むことができる。生成される可能性のある代表的な脂肪酸塩は、最高約２２までの炭素原子を有するナトリウムカルボン酸塩を含む。
【００２４】
石鹸素地は合成石鹸素地であり得る。ある実施形態では、合成石鹸素地はグリコール（例えば、ｄｉｐｒｏｙｌｅｎｅグリコール、プロピレングリコール、トリプロピレングリコール、及び／又はメチルプロパンジオールグリコール）、グリセリン、脂肪酸塩（例えば、ステアリン酸ナトリウム及び／又はカリウムステアレート）、Ｃ１５〜Ｃ２５アルコール（例えば、ベヘニルアルコール、ステアリルアルコール、セチルアルコール、及び／又はミリスチンアルコール）、ステアレス（例えば、ブリッジ（Brij）（登録商標）−７２１のようなステアレス２１）、ステアリン酸、マイクロクリスタリンワックス（例えば、微晶性ワックスＳＰ１６、ＳＰ１９、ＳＰ１６、ＳＰ１８、ＳＰ−１６７４、ＳＰ１６Ｗ、ＳＰ６０Ｗ、ＳＰ８９、マルチワックス（Multiwax）１８０Ｍ、Ｘ−１４５、Ｗ−４４５、及び／又はＷ−８３５）、１つ以上の界面活性剤（例えば、テゴベタイン（Tegobetaine）Ｆ−５０、ロザイン（Lonzaine）（登録商標）、マッカム（Mackam）（登録商標）群の界面活性剤、ミラテイン（Mirataine）（登録商標）群の界面活性剤、並びにナトリウムラウリルエーテルサルフェート（「ＳＬＥＳ」）（例えば、２５％の活性ＳＬＥＳ）を含む。いくつかの実施形態では、グリセリンは石鹸素地内には含まれない。グリセリンは所望により、以下でより詳細が述べられるプロセスセンシティブな相で、一部分又は全体的に、含まれることができる。
【００２５】
石鹸素地は、特定の実施形態では、約０．５％〜約３０％のグリコール（例えば、約１０％〜約２５％のグリコール又は約１２％〜約１５％のグリコール）、約１０％〜約４０％のグリセリン（例えば、約１８％〜約３４％のグリセリン又は約１８％〜約２４％のグリセリン）、約２０％〜約４０％の脂肪酸塩（例えば、約２５％〜約４０％の脂肪酸塩（例えばステアレート）又は約３０％〜約３５％の脂肪酸塩）、約０．１％〜約１０％のステアリン酸（例えば、約２〜約５％のステアリン酸）、約０．５％〜約１０％の微晶性ワックス（例えば、約０．５％〜約５％の微晶性ワックス又は約１％〜約３％の微晶性ワックス）、約１％〜約１５％のベタイン（例えば、約２％〜約１０％の活性ベタイン又は約４％〜約９％の活性ベタイン）、並びに約１〜２０％の活性ＳＬＥＳ（例えば、約１％〜約２０％の活性ＳＬＥＳ又は約１０％〜約１５％の活性ＳＬＥＳ）を含む（全て、注入石鹸素地の重量に基づく）。１つの代表的な注入石鹸素地は、以下を含む。
【表１】
2009514645.tif 000003
【００２６】
いくつかの実施形態では、素地及び合成界面活性剤の組み合わせがまた使用できる。
【００２７】
市販の石鹸素地を使用してもよい。代表的な市販の石鹸素地には、例えば、ツインクラフトソープ社（Twincraft Soap）の澄んだ半透明の石鹸素地がある。
【００２８】
耐摩耗性エンハンサー
シェービング補助組成物は、１つ以上の耐摩耗性成分を含む。好適な耐摩耗性成分は、ステアリン酸ナトリウム、ポリオキシエチレン、ポリエチレン、エステル、及びシリコーンポリマーを含む。これらの成分の多く（例えば、エステル及びポリオキシエチレン）は通常プロセスセンシティブである。耐摩耗性材料はまた、例えば増加された潤滑のような他の性質又は特性をシェービング補助組成物へ付与できる。
【００２９】
ポリオキシエチレン
１つの好適な耐摩耗性成分は、プロセスセンシティブな材料であるポリオキシエチレンである。ポリオキシエチレンは通常、その公称の又は平均の（数平均）分子量によって特徴づけられる。数平均分子量は、個々の分子量合計をポリマーの数で割った数である。当分野で知られている、ポリオキシエチレンの試料は一般的に、その試料が数平均分子量を超える及び未満の、個々のポリマー分子を含むように、分子量の分布を含む。
【００３０】
公称分子量のポリオキシエチレンの含有は、成形シェービング補助組成物の耐摩耗特性を改善できる。ポリオキシエチレンはおおよその公称分子量を、例えば、約１．７Ｅ−１０ｇ（１００，０００ダルトン）以上（例えば、約８．３Ｅ−１９、１．７Ｅ１８、３．３Ｅ−１８、４．９８Ｅ−１８、６．６Ｅ−１８、８．３Ｅ−１８、９．９６Ｅ−１８ｇ（５００，０００、１，０００，０００、２，０００，０００、３，０００，０００、４，０００，０００、５，０００，０００、６，０００，０００ダルトン）以上、又は約１．２Ｅ−１７ｇ（７，０００，０００ダルトン）以上及び／又は約１．３Ｅ−１７ｇ（８，０００，０００ダルトン）以下（例えば、約１．２Ｅ−１７、９．９６Ｅ−１８、８．３Ｅ−１８、６．６Ｅ−１８、４．９８Ｅ−１８、３．３Ｅ−１８（７，０００，０００、６，０００，０００、５，０００，０００、４，０００，０００、３，０００，０００、２，０００，０００ダルトン）以下、又は約１．７Ｅ−１８ｇ（１，０００，０００ダルトン）以下を有することができる。所望により、異なる公称分子量を有する２つ又はそれ以上のポリオキシエチレンが使用できる。ポリオキシエチレンが、例えば、約０．１％以上（例えば、約０．２５％以上、約０．５％以上、約１％以上、約２％以上、約３％以上、約４％以上、約５％以上、約６％以上、約７％以上、約８％以上、又は約９％以上）及び／又は約１０％以下（例えば、約９％以下、約８％以下、約７％以下、約６％以下、約５％以下、約４％以下、約３％以下、約２％以下、約１％以下、又は約０．５％以下）のレベルで存在できる（シェービング補助組成物の重量に基づく）。代表的なポリオキシエチレンには、ユニオンカーバイド社（Union Carbide Corporation）から市販されているＰｏｌｙｏｘ（登録商標）群のポリオキシエチレン、及び日本の京都にある明成化学工業株式会社（Meisei Chemical Works）から入手可能なアルコックス（Alkox）（登録商標）ポリオキシエチレンがある。
【００３１】
シリコーンポリマー
シリコーンポリマーもまた、耐摩耗性成分として使うことができる。特に、シリコーン架橋ポリマーを使うことができる。シリコーン架橋ポリマーは、架橋する能力のある（例えば、架橋された）シリコーンを含む（例えば、シリコーンベースの主鎖を有する）ポリマーである。シリコーンポリマー、特にシリコーン架橋ポリマーは、少なくとも約０．２５％、（例えば、少なくとも約０．５％、１％、１．５％、２％、２．５％、３％、３．５％、４％、又は少なくとも約４．５％）及び／又は最大限でも約５％（例えば、最大限でも約４．５％、４％、３．５％、３％、２．５％、２％、１．５％、１％、又は最大限でも約０．５％）の活性溶媒レベルで存在できる。特定の実施形態では、シリコーン架橋ポリマーは約０．２５％〜約５％のレベルで存在する。代表的なシリコーン架橋ポリマーは、例えば、ラウリルジメチコン／ポリグリセリン−３架橋ポリマー（例えば、３０％のラウリルジメチコン／ポリグリセリン−３架橋ポリマー）を含む。
【００３２】
市販されているシリコーン架橋ポリマーには、フェニックスケミカル社（Phoenix Chemical, Inc．）からそれぞれ入手可能な、ジメチコンＰＥＧ７パンテニルリン酸塩（ペコシル（Pecosil）（登録商標）ＰＡＮ−４００）、ジメチコンＰＥＧ７リン酸塩（ペコシル（Pecosil）（登録商標）ＰＳ−２００）、ジメチコンＰＥＧ７ウンデシレネート（ペコシル（Pecosil）（登録商標）ＤＣＵ）、ジメチコン／メチコンコポリマー（ペコシル（Pecosil）（登録商標）ＳＨ−２５Ｌ）、及びパーフルオロノイルエチル（perfluoronoylethyl）ジメチコンメチコンコポリマー（ペコシル（Pecosil）（登録商標）ＦＳ−Ｈ１５）、日本の信越化学工業（Shin-Etsu）からそれぞれ入手可能な、ジメチコンに入ったジメチコン／ビニルジメチコンクロスポリマー（ＫＳＧ１６）、ミネラルオイルに入ったビニルジメチコン／ラウリルジメチコンクロスポリマー（ＫＳＧ４１）、スクアランに入ったビニルジメチコン／ラウリルジメチコンクロスポリマー（ＫＳＧ４４）、ビニルジメチコン／メチコンシルセスキオキサンクロスポリマー（ＫＳＰ−１００、ＫＳＰ−１０１、ＫＳＰ１０５）、スクアレン及びラウリルジメチコン／ポリグリセリン−３クロスポリマー（ＫＳＧ８４０）、トリエチルヘキサノイン及びラウリルジメチコン／ポリグリセリン−３クロスポリマー（ＫＳＧ−８３０）、及びジメチコン／ポリグリセリン−３クロスポリマー及びジメチコン（ＫＳＧ−７１０）、デグサ社（Degussa）からそれぞれ入手可能な、ＰＥＧ／ＰＰＧ２０／６ジメチコン（ＡＢＩＬ（登録商標）Ｂ８８１８４）、ベヘノキシジメチコン（ＡＢＩＬ（登録商標）ワックス２４４０）、及びＣ２４〜２８アルキルメチコン（ＡＢＩＬ（登録商標）ワックス９８１０Ｐ）、並びにダウコーニング社（Dow Corning）から入手可能なジメチコン／ビニルジメツチン（ｄｉｍｅｔｈｕｃｉｎｅ）架橋ポリマー及びＣ１２〜Ｃ１４パレス（Pareth）−１２（ＤＣ９５０９）を含む。
【００３３】
エステル
エステル（例えば、バター及びその他の非液体エステル）は、シェービング補助組成物へ組み込むことができ、耐摩耗性エンハンサー及び／又は皮膚軟化剤として機能できる。特に、半固形エステルを使ってもよく、それらは一般にプロセスセンシティブな材料である。半固形エステルは、皮膚軟化剤及び／又は保湿剤としての役目を果たすことができる。代表的な半固形エステルは、例えば、シアバター、カカオバター、コクムバター、アボカドバター、オリーブバター、マンゴバター、及びこれらの混合物のような、バターを含む。エステルは、約０．５％以上（例えば、約１％、２％、３％、４％、５％、６％以上、又は約７％以上）及び／又は約８％以下（例えば、約７％、６％、５％、４％、３％、２％以下、又は約１％以下）のレベルで、シェービング補助組成物に組み込むことができる。
【００３４】
ポリエチレン組成物
シェービング補助組成物は、耐摩耗性成分として１つ以上のポリエチレン組成物を含むことができる。一般に、ポリエチレンはシェービング補助組成物の耐摩耗特性を改善できるが、組成物へ直接組み込むことは難しい。その代わり、ポリエチレンはシェービング補助組成物へ既に組み込まれている組成物へ組み込むことができる。例えば、ポリエチレン、ポリブテン、及びミネラルオイル（例えば、センシエントテクノロジー社（Sensient Technologies）から商品名コバグロス（Covagloss）で販売されているもの）を含む組成物が使用できる。いくつかの実施形態では、シェービング補助組成物は約０．５％以上（例えば、約１％、２％、３％、４％、５％、６％以上、又は約７％以上）及び／又は約８％以下（例えば、約７％、６％、５％、４％、３％、２％以下、又は約１％以下）のポリエチレン、ポリブテン、及びミネラルオイル組成物を含む。
【００３５】
保湿剤の構成要素及びその他の任意の成分
シェービング補助組成物は、その他のスキンケア成分及び／又はその他の添加剤を更に含むことができる。組成物を強化するための素地へ追加できるスキンケア成分には、界面活性剤（例えば、ナトリウムイソステアロイルラクチレート、アンモニウムイソステアレート、ＤＥＡ−ミリステート、アルキルグリセリルスルホン酸塩、及びラウレス−１６）、スキンケア剤（例えば、皮膚軟化剤、潤滑剤、保湿剤、及びコンディショナー）、フォーミング剤、育毛阻害物質、植物抽出物、酸化防止剤、抗菌剤、抗炎症剤、収れん剤、抗刺激剤、脱毛剤、薬剤、吸収剤、芳香剤、着色剤（例えば、染料及び顔料）及び剥離剤、（例えば、ヘチマ、海草、オートミール、軽石、アプリコットの種など）が含まれるが、これらに限定されない。スキンケア剤の代表的な実施形態には、グリセリン、ソルビトール、及びプロピレングリコールのような保湿剤、メントール、アロエ、アラントイン及びコラーゲンのようなスキンフレッシュニング及び鎮静剤、ポリオキシエチレン及びシリコーンのような潤滑剤（例えば、ジメチコン、ジメチコノール、ジメチコンコポリオール、ステアリルジメチコン、セチルジメチコンコポリオール、フェニルジメチコン、シクロメチコンなど）、ナトリウム又はカリウム塩（例えば、ラクチレート、クロライド、スルホン酸塩など）、ビタミン及びビタミン錯体（ビタミン前駆体及び派生物を含む）、ココエート、金属酸化物、油類（例えば、ココアバター）、ジメチコン、アラントイン、サッカロースココエート、オレイルラノレート、チオ尿素、酢酸トコフェロール、ＰＰＧ−３３、ｕｎｄｅｃｅｔｈ−３、蜂蜜、藻類及びアロエバルバデンシスなどが含まれるが、これらに限定されない。スキンケア成分はいくつかの実施形態において、約３５％以下（例えば、約３０％、２５％、２０％、１５％、１２％、１０％、８％、６％、４％以下、又は約２％以下）の量、存在できる。吸収剤は粘土又は粘土ベースの組成物、カオリン、木材の粒子、塩化ナトリウム、シクロデキストリン、白亜、タルク、シリカ、ポリテトラフルオロエチレン又はそのようなものとなり得、約９％以下（例えば、約５％以下又は約３％以下）の量、存在できる。追加できる粘土は、ベントナイト、カオリン、前述の粘土などの組み合わせを含む。
【００３６】
代表的な着色剤は、染料及び顔料、例えば、二酸化チタン、マンガンバイオレット、酸化亜鉛、ウルトラマリン（例えば、ウルトラマリンブルー４）、オレンジ４、緑３、又は、単体又は組み合わせて化粧品での使用に認められているその他の染料又は顔料を含む。着色剤は、特定の実施形態では、重量で、約６％以下（例えば、約４％、２％、１％、０．１％、０．０１％、０．００１％、０．０００１％以下、又は更に約０．００００１％以下）及び／又は約０．０００００１％以上（例えば、約０．００００１％、０．０００１％、０．００１％、０．０１％、０．１％以上、又は約１％以上）の量で追加されることができる。
【００３７】
芳香剤は望ましい香りを組成物へ付与するために使われる放臭剤であり、組成物の他の構成要素の望ましくない臭いを更に隠すことができる。化粧品での使用に認められている任意の芳香剤が使用できる。特定の実施形態では、少なくとも１つの芳香剤成分が、最大約４％までの（例えば、最大約２％、最大約１．５％、又は最大約１％）の量で追加できる。
【００３８】
特定の実施形態では、成形シェービング補助組成物は、使用者に対し摩耗の程度を表示するように構成できる。例えば、成形シェービング補助組成物は、シェービング補助が消耗した際に、現れたり消えたりする表示を含むことができる。そのような摩耗インディケータは、カミソリカートリッジを交換すべき時を使用者へ示すことができる。特定の実施形態では、成形シェービング補助組成物は、カートリッジの目標とする耐用時間が終わると使い終わるような配合及び／又は大きさにできるので、シェービング補助が空になるとカートリッジを交換すべきことを使用者に示す。他の実施形態では、成形シェービング補助組成物は、埋め込まれた表示を含むことができる。例えば、予め定められた量のシェービング補助が使い切られた時に現れるロゴ又は言葉、若しくは表示は、シェービング補助が使用される時に消える、シェービング補助上に埋め込まれても良い。これらの場合、しるしの出現または消滅がそれぞれ、カートリッジを交換すべきことをユーザーに示すことになる。同様に、潤滑性ストリップが、成形シェービング補助組成物の下、ウィングの片方又は両方の上に取り付けられてもよい。この場合、シェービング補助が使い尽くされた時、潤滑性ストリップが露呈されて、カートリッジを交換すべきことを表示する。潤滑性ストリップは、ユーザーがカートリッジを交換可能になるまでの期間、潤滑及び皮膚コンディショニングという付加的な効果をもたらす。
【００３９】
代表的なプロセスセンシティブな相は、以下を含む。
【表２】
2009514645.tif 000004
【００４０】
成形シェービング補助組成物の製造方法
２段階のプロセス
１．注入石鹸素地
注入石鹸素地が形成され、そこへプロセスセンシティブな材料成分が続いて追加される。注入石鹸素地は、タロー又は植物ベースの石鹸素地、合成石鹸素地、又はこれらの組み合わせとなり得る。脂肪ベースの石鹸素地を準備するために、タロー（牛や羊のような動物からの脂肪）又は植物性脂肪が、例えば、水酸化ナトリウム又は水酸化カリウムなどのベースの存在下で熱せられる。脂肪／ベースの混合物は約７５℃〜約１００℃の間まで熱せられることができる。タロー又は植物性脂肪内のトリグリセリドは素地に反応し、グリセロール及び脂肪酸塩（例えば、ステアレート又は、より詳しくはステアリン酸ナトリウム）、又は石鹸を作り出す。一度この鹸化反応が完了すると、例えば塩化ナトリウムのような塩を追加することによって、石鹸は沈殿する。水及びグリセロールがそれから、例えば真空蒸留によって除去される。鹸化反応から得られた加工されていない石鹸は、例えば、塩化ナトリウム、水酸化ナトリウム、及び残留物グリセロールなどの不純物を含む場合もある。これらの不純物は、加工されていない石鹸のカードを水中で沸騰させ、石鹸を塩で再沈殿させることによって除去できる。この精製プロセスは、必要に応じて何回か繰り返すことができる。
【００４１】
特定の実施形態では、合成石鹸素地が準備される。合成注入石鹸素地は、グリコール及びグリセリンをまずブレンド又は混合することによって準備できる。グリコール／グリセリンのブレンドは、脂肪酸塩を溶解するのに十分な第一温度（例えば、少なくとも約９０℃、少なくとも約９５℃、少なくとも約１００℃、又は少なくとも約１０５℃）まで熱せられ、脂肪酸塩がブレンドに加えられ、脂肪酸塩の組み込みを助けるためにより高温にすることができる（例えば、少なくとも約８５℃、少なくとも約９０℃、少なくとも約９５℃、少なくとも約１００℃、少なくとも約１０５℃、又は少なくとも約１１０℃）。ステアリン酸及び微晶性ワックスがそれから溶解物に加えられる。ベタイン及びナトリウムラウリルエーテルサルフェートがその後溶解物へ加えられる（任意のアルコール及びステアレスが、それの使用に応じて加えられるように）追加の脂肪酸塩がそれから溶解物へ加えられる。溶解物は冷却され、固められる。溶解物は所望により、例えば、型で、バー、フレーク、リボン、芳香錠、小球、又はその他の任意の形状に固められることができる。固められた石鹸素地は、それから更に処理されることができる、又は保存することができる（例えば、２年程度）。
【００４２】
特定の実施形態では、石鹸素地形成プロセスは、石鹸素地成分を、約８０℃以上（例えば、約８５℃、９０℃、９５℃、１００℃、又は１０５以上）の温度まで上げることを含む。石鹸素地成分は、いくつかの実施形態では、約１時間以上（例えば、約２、３、４、５、１０時間以上、又は約２０時間以上）の間これらの温度にさらされる。
【００４３】
２．プロセスセンシティブな相
１つ以上のプロセスセンシティブな成分を含むことができる、第二の相が準備される。プロセスセンシティブな相は通常エステル、ポリオキシエチレン、芳香剤、染料、及びその他の任意の成分を含む。プロセスセンシティブな相は、グリセリンを約２５℃〜約５０℃（例えば、約３５℃まで）までの温度で暖め、プロセスセンシティブな成分を加えることによって準備できる。高温がプロセスセンシティブな成分の組み込みを助けることができ、組み込まれる特定の成分を基準に選択できる。例えば、バターは通常約３５℃で溶けるので、プロセスセンシティブな相の温度を約３５℃まで上げることで、バターを相へ溶かすのを支援できる。成分の選択及び選択された成分の量は、最終的なシェービング補助組成物に望まれるレベルによって様々である。いくつかの実施形態では、それ自身プロセスセンシティブではない成分が、プロセスセンシティブな相に含まれることができる。
【００４４】
プロセスセンシティブな相の温度は、特定の実施形態では、プロセスセンシティブな相が石鹸素地へ加えられる時間まで、約２５℃〜約５０℃（例えば、約３５℃）で維持できる。他の実施形態では、プロセスセンシティブな相は、石鹸素地へ組み込まれる前に冷却されることができる（例えば、室温で）。
【００４５】
３．石鹸相及びプロセスセンシティブな相の組み合わせ
石鹸相及びプロセスセンシティブな相からのシェービング補助組成物の形成の実施形態は、図１に示されている。固化した注入石鹸素地２０２は、約９０℃〜約１００℃（例えば、〜約９１℃、約９２℃、約９３℃、約９４℃、約９５℃、約９６℃、約９７℃、約９８℃、約９９℃、又は約１００℃）の温度まで熱せられ、溶解した石鹸２０４を形成するために再度溶解させられる。溶解した石鹸２０４は、ポンプ２０６を介して計量され、攪拌機構２１２を備える熱せられた充填材供給容器２１０内に入れられる。充填材供給容器２１０は、その内容物の温度を約９５℃に維持するよう設定される。プロセスセンシティブな相２２０は、熱せられたチャンバー２２２内でプロセスセンシティブな成分２２４を混ぜることにより形成される。プロセスセンシティブな相２２０はそれから、ポンプ２２８を介して計量され、充填材供給容器２１０内へ入れられ、融解されたシェービング補助組成物２３０を形成するため石鹸素地２０２と混ぜられる。いくつかの実施形態では均質な最終製品を得るために混合が必要とされる。混合は一般に、プロセスセンシティブな成分のいくつか又は全てを劣化させる可能性のある剪断力を減らすために最小限に保たれる。他の実施形態では、非均質なブレンドが使用できる。例えば、望まれる最終製品は、真珠色にされ、線をつけられ、又は他の非均質な方法で石鹸内に分配された１つ以上の成分を含むことができる。
【００４６】
融解されたシェービング補助組成物２３０はそれから、充填ポンプ２３２を介して測定され、型ブロック２３８内で形成された個々の型２３６に入れられ、シェービング補助組成物が成形シェービング補助組成物２４０を形成するために冷却される。融解されたシェービング補助組成物２３０の温度は、シェービング補助組成物が型２３６内に置かれるまで、約９５℃の温度に保たれる。
【００４７】
融解されたシェービング補助組成物２３０はプロセスセンシティブな成分２２４を含むので、融解されたシェービング補助組成物２３０は、プロセスセンシティブな成分２３０の相当な劣化をもたらす時間より短い時間、高温で保たれる。例えば、いくつかの実施形態では、融解されたシェービング補助組成物２３０は、型に置かれ冷却される前、約１２０分以下（例えば、約１１０分以下、約１００分以下、約９０分以下、約７５分以下、約６０分以下、約５０分以下、約４０分以下、約３０分以下、約２０分以下、約１０分以下、約５分以下、又は更に約２分以下）、高温で保たれる。このようにして、成形シェービング補助組成物は、プロセスセンシティブな成分が相当に劣化しないように形成できる。
【００４８】
特定の実施形態では、シェービング補助組成物は、既に型内に置かれたシェービング補助実装デバイス（例えば、以下に述べられるウィング）を有する型内に置かれる。このようにして、シェービング補助組成物は、固結の時点でそれ自身をシェービング補助実装デバイス内に組み込むことができる。
【００４９】
一度シェービング補助組成物が十分な時点まで冷却されると（例えば、型から簡単に取り外すことができるほど十分に固まった時点）、シェービング補助組成物は型から取り外すことができる。いくつかの実施形態では、シェービング補助組成物は、型から取り外される前に、ほぼ室温まで冷却することが可能である。他の実施形態では、シェービング補助組成物は、型から取り外される前に、約８０℃以下（例えば、約７５℃、７０℃、６５℃、６０℃、５０℃、４０℃以下、約３０℃以下、約２５℃以下、約２０℃以下、約１５℃以下、約１０℃以下、約５℃以下、又は約０℃以下）の温度まで冷却することが可能である。
【００５０】
１ステップバッチプロセス
いくつかの実施形態では、プロセスセンシティブな成分は、１ステップバッチプロセスで注入石鹸素地溶解物へ直接追加できる。そのような実施形態では、注入石鹸素地溶解物は約９５℃に保たれ、プロセスセンシティブな相はシェービング補助組成物を形成するために、最初に冷却してから再溶解せずに、注入石鹸素地溶解物へ追加される。シェービング補助組成物はそれから、１つ以上の型内に置かれ、冷却される。もう１つのそのような実施形態では、プロセスセンシティブな成分は、最初にプロセスセンシティブな相へ組み込まれずに、注入石鹸素地溶解物へ直接混ぜられる。結果として生じるシェービング補助組成物はそれから１つ以上の型内へ置かれ、冷却される。各事例では、組成物は型内に置かれ、プロセスセンシティブな成分のいくつか又はすべてを相当劣化させるのに十分な時間が経過する前に、冷却されることが可能である。特に、プロセスセンシティブな成分を溶解した石鹸素地へ追加してから融解されたシェービング補助組成物を型内へ置き、シェービング補助組成物を冷却するまでに経過する時間は、プロセスセンシティブな成分のいくつか又は全てが通常高温及び混合段階の剪断力で劣化し始める時間未満であるべきである。一般に、この時間は約９０分未満（例えば、約８０、７０、６０、５０、４０、３０、２０、１０未満、又は約５分未満）である。
【００５１】
連続的なプロセス
いくつかの実施形態では、成形シェービング補助組成物は連続的なプロセスで準備される。石鹸素地の成分は、最初に混ぜられ、成分の温度を少なくとも約９０℃まで（例えば、少なくとも約９５℃、１００℃、１０５℃、１１０℃、１１５℃、又は少なくとも約１２０℃）増加させるために、熱せられたチャンバー内で循環させられる。熱せられたチャンバー及びポンプ機構が、成分の十分な溶解及び混合を可能にするため、高温で石鹸素地の構成要素の十分な滞留時間を与えるよう、構成される。
【００５２】
次に、溶解物は約１００℃以下（例えば約９０℃以下、約８０℃以下、又は約７０℃以下）に保たれた第二のチャンバーへ移される。別の方法では、溶解物は第一のチャンバーに維持され、第一のチャンバーの温度は約１００℃以下（例えば、約９０℃以下、約８０℃以下、又は約７０℃以下）まで下げることができる。この温度を保ちながら、プロセスセンシティブな成分はシェービング補助組成物を形成するため、石鹸素地溶解物に取り込まれ、混ぜられる。成分は個々に取り込まれることができる、又はプロセスセンシティブな相の形で取り込まれることができ、これについては上に述べられている。シェービング補助組成物はそれから、成形シェービング補助組成物を形成するために、例えば射出成形によって型へ流され、冷却される。
【００５３】
押出石鹸
ある実施形態では押出石鹸が使用できる。押出石鹸を作成するためのプロセス２５０が図１Ｂに示されている。石鹸素地は一般に、（例えば、鹸化又は中和反応によって）液体石鹸素地２５６及び、液体石鹸素地２５６から除去されるグリセリン２５８を作るため、反応容器２５４内で石鹸素地成分２５２を混ぜることによって形成される。液体石鹸素地は、ほぼ乾燥した石鹸ペレット２６２（例えば、乾燥ソープヌードル又はシェービング）を形成するため、（例えば、真空スプレー乾燥によって）少なくともいくらかの水分が除去される乾燥チャンバー２６０へ移される。乾燥石鹸ペレット２６２はそれから、乾燥石鹸ペレット２６６をプロセスセンシティブな成分２７０と共に混合及び／又は研削するため、１つ以上の羽根２６６を有する混汞器２６４へ取り込まれる。プロセスセンシティブな成分２７０は押出石鹸の乾燥ブレンド２７２を形成するため、混汞器２６４へ取り込まれる。押出石鹸の乾燥ブレンド２７２は、いくつかの実施形態では高分子的に均質化されることができる（例えば、乾燥石鹸ペレットの間でプロセスセンシティブな成分をほぼ均等に配布することが達成できる）。押出石鹸の乾燥ブレンド２７２はそれから、例えば、ほぼ均一な質感を達成するために、押出石鹸の乾燥ブレンド２７２を１つ以上の回転ミル２７４へ取り込むことによって精製される。押出石鹸の乾燥ブレンド２７２はそれから、押出成形機２７６を使って、所望により熱（例えば、９５℃、９０℃、８５℃、８０℃、７０℃、６０℃、５０℃、４０℃、３０℃以下、又は２５℃以下）及び／又は圧力を使って押し出され、連続的な押出石鹸バー２７８を形成し、更なるプロセス段階２７８（例えば、切断及び／又は望ましい最終的な形への鍛造）を受けることができる。
【００５４】
石鹸の耐摩耗特性
いくつかの実施形態では、シェービング補助組成物は優れた耐摩耗特性を示す。耐摩耗特性は多数の方法で決定されることができる。例えば、シェービング補助組成物はカミソリ上に組み込まれることができ、特定のシェービング性能特性が劣化し始める前のシェービングの回数が決定できる。他の実施形態では、耐摩耗性は、研磨状態（例えば、研磨ホイールなどの研磨デバイスの所定の面上組成物及び速度）を設定するためシェービング補助組成物を受けさせることによって、並びに組成物のどのくらいが、所定の時間内に摩耗したかを判断することによって決定できる。
【００５５】
いくつかの実施形態では、耐摩耗性は、型押面上で、並びにこの型押面及びシェービング補助本体の間で水の流れを維持することによって測定することができる。水は、事前に選択された温度で、水槽内で維持される。シェービング補助本体は、シェービングプロセスをシミュレートするために研磨される。水槽内での水の流れは約０．３Ｌ（１分当たり０．０８ガロン（ｇｐｍ））であり、水温は約３６℃〜約４０℃である。シェービング補助本体の研磨は、型押面によるシェービング補助本体の係合、及び振動する動きの中で型押面を渡ってシェービング補助本体の動きを提供する装置によって達成される。型押面は、０．０００８ｍｍ（３２マイクロインチ（Ｒａ）（約１５０ｇｒｉｔ））の多数の面仕上げを有するステンレススチールパッドであり得る。型押面上でのシェービング補助本体の各連続的な動き（前後）は１循環である。１つの完全な循環は、各方向（前後）において約１５．２４ｃｍ（６インチ）の動きである。３００グラム（ｇ）の重荷が、おもしを使って、シェービング補助本体１２上で維持できる。耐摩耗性の割合（％）は、テスト開始前にシェービング補助本体の重さを量り、テスト終了後（予め定められた循環回数、例えば３０循環でのテスト実行後）にシェービング補助本体の重さを量り、残っているシェービング補助材料の割合を測定することによって決定される。
【００５６】
別の耐摩耗性テストは、ホルダーに形成されたシェービング補助組成物のカートリッジを利用し、湿式ホイール装置を使ってカートリッジをテストする。湿式ホイール装置は回転する円筒形のホイールを有し、例えば、直径約２５．４ｃｍ（１０インチ）であり、研磨材料でコーティングされた外側表面（例えば、紙やすり、フェルト、又はベルクロ（登録商標）システムのようなフック・ループシステムのループ部分）を有する。ホイールの下部は水槽に浸る。カミソリカートリッジ（ブレードなし）はホイールの上に置かれたホルダー内に実装され、それによりカートリッジは、ホイールが標準の予め選択された（例えば、３．１４ｒａｄ／秒（３０ｒｐｍ））毎分回転数（ｒｐｍ）で回転するように、標準の予め選択された抵抗力（例えば、２００ｇ）の助けでホイールの面に向けて保持される。ホイールが循環する水槽の温度は所定の温度で維持でき、約１５℃〜約４５℃となり得る。カートリッジは、１つの持続時間（例えば、３分）テストされることができ又は、連続した日にわたり複数のシェービングをシミュレートするため、数日に渡り所定の持続時間（例えば、１．５分）テストされることができ、それによりカートリッジはテスト期間の間に乾燥できる。別の方法では、ホイールは１セットの回数の回転（例えば、１０、２０、３０、４０又は５０回転）で回転される。シェービング補助組成物はテスト前に重量を量られ、テスト後には乾燥させられ、室温に平衡化され（例えば、約２４時間の間）、再度重量を量られる。
【００５７】
成形シェービング補助組成物を含むカミソリ
成形シェービング補助組成物は、特定の実施形態ではカミソリ（例えば、カミソリヘッド）に組み込まれる。例えば、成形シェービング補助組成物は１つ以上のホルダーに取り付けられることができ、それ自身がカミソリヘッドへ取り付けられるよう構成される。図２Ａ、２Ｂ及び３に関し、シェービングカミソリ１０は使い捨てカートリッジ１２及びハンドル１４を含む。図３に示されるように、カートリッジ１２は、カートリッジ１２をハンドル１４の連結部分１９へ取り外し可能なように連結する連結部材１８、連結部材１８へ枢動可能なように連結されるブレードユニット１６、及びブレードユニット１６上に実装されたシェービング補助ホルダー３０を含む。図２Ａに関し、ブレードユニット１６はプラスチックハウジング２０、ハウジング２０の前部にガード２２、及びガード２２とハウジング２０の後部との間にブレード２８を含む。
【００５８】
ブレードユニット１６は、米国特許番号第５，６６１，９０７号に記載されているブレードユニットに類似していても良い。ハンドル１４は、米国特許番号第５，８５５，０７１号、第５，９５６，８５１号、及び／又は第６，０５２，９０３号に記載されているものに類似していても良い。ブレードユニット１６をハンドル１４に連結するのに使われる連結部材１８は、２００４年１０月２０日に出願された、米国特許出願連番第１０／９６９，３７３号（「シェービングカミソリ及びカートリッジ」）、及び２００４年１０月２０日に出願された、米国特許出願連番第１０／９６９，３９２号（「シェービングカミソリ及びカートリッジ」）に記載される連結部材に類似していても良い。
【００５９】
以下で更に詳細に説明するように、ホルダー３０は、一対のシェービング補助部分３１Ａ、３１Ｂを支える。前シェービング補助部分３１Ａは、ブレード前方すなわちシェービング前の皮膚に接触し、後ろシェービング補助部分３１Ｂは、ブレード後方の皮膚に接触する。シェービング補助部分の１つ又は両方は、本明細書で述べられる成形シェービング補助組成物で形成され、一方シェービング補助部分の１つは所望により、異なる又は付加的な組成物を含むことができる。例えば、前部シェービング補助部分は成形シェービング補助組成物を含んでもよく、一方後部は、シェービング補助部分の代わりに、又はそれに加えて皮膚軟化剤及び保湿剤のような、皮膚鎮静成分及びコンディショニング成分を含んでも良い。
【００６０】
シェービング補助部分は、皮膚に接触する時に、標準的な撓みなし姿勢（図４Ｅ）から撓み姿勢（図４Ｆ）まで弾力的に撓むように取り付けられる。この撓みによって、脇の下の窪み（腋窩）又は膝の後ろなどの到達が困難又は制限された区域内で、かみそりが容易に使用できるようになる。シェービング補助部分の撓みは又、シェービング中に過度の圧力をユーザーが付加する場合に、シェービング補助部分の早過ぎる磨耗及びユーザーへの不快感を防ぐ。好ましくは、撓みの角度（図４Ｆ、角度Ａ）は少なくとも約１０度、例えば約１０〜６０度、通常は約２０〜４０度である。角度Ａは、シェービング補助部分がその撓みなし姿勢にある時に、エラストマーヒンジのほぼ中心に有る旋回点Ｐからシェービング補助部分３１Ａの最高点まで線を引いて、シェービング補助部分がその撓みなし姿勢にある時のこの線とシェービング補助部分がその設計限界まで撓んだ時の同じ線との間の角度を測定することによって、測定される。シェービング補助部分の弾力的取付けについては、以下で更に詳細に説明する。撓まない姿勢（図４Ｅ）のシェービング補助部分の高さＨ１及びＨ２は様々であるが、例えば、約１〜４ｍｍ、例えば、約１．５〜３．０ｍｍであってもよい。Ｈ１及びＨ２は一般に、お互い約０〜５０％内である。一般的に、２つのシェービング補助部分の高さは、シェービング補助部分がほぼ同時に使い尽くされるように、使用される組成物の磨耗速度に比例する。
【００６１】
ホルダー３０は、（例えば、シェービング補助部分が含まれないシェービング補助ホルダーをカートリッジに追加することを消費者が望む場合に）カートリッジ本体から消費者により取外し可能であるように取り付けられてもよく、あるいは、カートリッジ本体上に永久的に取付けられても、又はカートリッジ本体と一体に成形されてもよい。図２Ａ〜６Ｄに示される実施形態では、ホルダー３０は、留め具３２及び３４（図４Ｂ）が、図２Ｂに示されるように、ブレードユニットのハウジング２０の背面３７と係合することにより、カートリッジ上に留められる。ホルダー３０は、ハウジングを留め具３４の下側で滑らせ、次に留め具３２を撓ませてこれらを適所にスナップ留めすることによって、ハウジングと係合してもよい。
【００６２】
シェービング補助ホルダーの構造
図４Ａに関し、シェービング補助ホルダー３０には、ホルダー３０が適切な位置にある時にカートリッジ本体の周囲に広がる、フレーム部材３６が含まれる。一般に、フレーム部材３６は、成形プラスチックで形成される。いくつかの実施形態では、フレーム部材の側部３８は、ホルダーを適切な位置に確実に保持するために、カートリッジ本体の側領域の上へ延びる。シェービング性能が損なわれないように、側部３８は一般に、ブレード端部の隣では十分に薄くされるべきである。いくつかの実施形態では、ブレードの端部に隣接する非常に薄い縁部４０から縁部の外側寄り区域までの間に、傾斜区域が設けられる。例えば、側部３８は一般に、縁部４０にて０．１５ｍｍ未満、及び縁部４０の約０．５ｍｍ内側寄りの線Ｌにて０．４ｍｍ未満の厚さを有する。この傾斜区域５９が、線Ｌとホルダー３０の外側縁部６３との間のレール６１を提供しており、これが、使用中のかみそりの走行を改善することがある。
【００６３】
図４Ｅ、５Ａ〜５Ｄ、６Ａ〜６Ｄに関し、シェービング補助部分３１Ａ及び３１Ｂは、１対のウィング４２、４４上で運ばれる。ウィング４２、４４は、フレームと同じプラスチックで形成されもよく、又は異なる材料で形成されもよい。例えば、ウィングは、ウィングとフレームを結合するヒンジ５２、５４（以下で説明する図５Ｂ）と同じ材料で形成されてもよい。この場合、ウィング及びヒンジは、単一成形工程でフレームに上成形されてもよい。
【００６４】
ウィングには複数個の開口４６（図５Ｂ）が含まれ、これにより、シェービング補助がウィングの厚さを通して流れて、ウィングの裏面上で（例えば、共に流れて一体の塊を形成することにより）機械的な噛み合いを形成し、シェービング補助をウィングへ固定することが可能になる。
【００６５】
エラストマーのバンパー４８、５０が、シェービング補助部分の下にあるウィングの隅部に設けられており、その結果、シェービング補助部分が使い尽くされた時に、ユーザーの皮膚は、硬いプラスチックではなくエラストマーに接触する。一般に、エラストマーバンパーは、少なくとも１ｍｍ、例えば、約１．５〜３ｍｍの厚さＴ（図６Ｃ）を有する。いくつかの実施形態では、エラストマーは、使用者の快適性のために比較的柔らかく、そのためヒンジは柔らかい屈曲を有する。例えば、エラストマーは約５０ショアＡ未満（例えば約４０ショアＡ未満）の硬度を有してもよい。エラストマーは、例えば、商品名ＫＲＡＴＯＮ（登録商標）の下入手可能な商品のような、ブロックコポリマーであっても良い。いくつかの実施形態では、エラストマーは十分な化学抵抗力を有さないので、シェービング補助組成物の成分との長期に渡る接触中に劣化することはない。
【００６６】
図６Ｄに関し、ウィング４２、４４は、それらの標準的な撓まない姿勢においてさえも、ブレード縁部によって規定される平面より十分に下まで、下向きに曲がっている。この湾曲のために、シェービング補助部分の上面がブレードエッジの平面より上に過度に遠く延びることなく、又はシェービング補助部分の最低区域が低すぎて使用中に皮膚と全く接触しないことがなく、ウィングが、比較的大量の石鹸を担持することが可能になる。一般に、ウィング４２、４４のそれぞれの上の最低点は、ブレードエッジによって画定される平面から少なくとも約１ｍｍ下、例えばこの平面から約２〜６ｍｍ下である。所望の場合、例えばシェービング補助が比較的耐摩耗性である場合には、ウィングは、フレームから比較的真直ぐ延びてもよい。
【００６７】
シェービング補助部分の弾力的取り付け
シェービング中のシェービング補助部分３１Ａ、３１Ｂの図４Ｅに示される標準姿勢から、図４Ｆに示される撓み姿勢までの撓みを可能にするために、ウィング４２、４４は、フレーム部材３６上に弾力的に取り付けられる。可撓性ヒンジ５２、５４（図５Ｂ）は、ウィング及びフレーム間にこの弾力的な連結を提供する。
【００６８】
いくつかの実施形態では、ヒンジ５２、５４は、例えばブロックコポリマーのようなエラストマー系材料で形成される。ヒンジは通常、上で説明されたエラストマーバンパー４８、５０と同一のエラストマー材で形成される。そのエラストマー材は、一般に、ユーザーの皮膚と接触するとウィングが容易に撓み、その上に良好なばね戻りもウィングにもたらすように、柔軟な屈曲性を提供するべく選定される。例えば、エラストマー材は約６８９．５ｋＰａ（１００ｐｓｉ）〜２０６８．４ｋＰａ（３００ｐｓｉ）の曲げ弾性率を有しても良い。望ましい製品特性を提供する弾性率は、ヒンジの厚さＴ及び長さＬ（図５Ｄ）に依存する。２つのヒンジの厚さ及び長さは同じでも異なってもよく、並びにこれらの寸法及び使用されるエラストマー材は、２つのウィングに所望の曲げ特性を付与するよう選択可能である。ヒンジの厚さは、例えば、約０．５〜２．０ｍｍであってもよく、長さは、約０．５〜３．０ｍｍであってもよい。図５Ａ〜５Ｄに示される実施形態では、ヒンジは、ホルダー３０のほぼ全幅に広がっている。しかしながら、所望の場合、ヒンジは、より短くてもよく、又は不連続のヒンジ部分からなってもよい。
【００６９】
エラストマーヒンジは、フレーム上にオーバーモールドされてもよい。このプロセスを助けるために、図５Ａ〜６Ｄに示される実施形態では、フレームは、フレームからウィングへ一体的に延びる一対の連結部材５６によって、ウィングのそれぞれに連結されている（図６Ｂ）。所望の場合、これらの連結部材は、上成形が完了した後で、切断されてもよい。別の方法としては、ウィング及びフレームは、別個の構成要素であって、これらが、挿入型の中に置かれて、エラストマーで上成形されてもよい。エラストマー単独で（すなわち、硬質プラスチックが実質的に無く）ヒンジを形成すると、ある場合には、より柔軟に曲がるヒンジという結果になり得る。
【００７０】
シェービング補助部分の輪郭
図４Ｅに関して、前部シェービング補助部分３１Ａは、シェービング補助部分が肌との接触の際に撓むような輪郭になっている、傾斜した先導表面３３を含む。そのためカートリッジはシェービング補助部分３１Ａがシェービング中に肌に接触しても、後ろに傾かない。図４Ａ及び４Ｄに見られるように、シェービング補助部分３１Ａの誘導縁部１１０は、ホルダー３０の側面に隣接する第一の厚さｔ１を有し、シェービング補助部分の中央領域に隣接する第二のより薄い厚さｔ２に対しテーパを有する。この形状により、前シェービング補助部分は傾斜先導表面３３を有し、それでも可能な限り多くのシェービング補助を側面に隣接して提供することができる。所望の場合、先導縁部の全体が、より薄い厚さｔ２を有することもできる。シェービング補助部分３１Ａの前面３５には、滑らかな曲線の弧状側面区域３７Ａ、３７Ｂが含まれ、先導表面３３の石鹸を撓ませる輪郭を強化及びシェービング中に不快にする場合もある縁部及び隅部を削除すると共に、腋窩及び膝の後ろなどの狭い区域のシェービングを容易にしている。同様に、先導表面３３と前面３５の交差部３９にも、滑らかな丸みが付いている。
【００７１】
前シェービング補助部分３１Ａ及び後ろシェービング補助部分３１Ｂは両方とも、ウィング４４が撓んだ時に、それぞれのシェービング補助部分の上面（シェービング補助部分３１Ａの表面４１及びシェービング補助部分３１Ｂの表面４３）が、ユーザーの皮膚に対して比較的平らとなるような形状にされている。図４Ｆに示されるこの平らな位置によって、シェービング補助がシェービング中に使用者の肌にできるだけ接触するのが可能になる。
【００７２】
シェービングの容易さ
シェービング補助部分３１Ａ、３１Ｂは、ホルダー３０のフレーム３６の幅と同じ、又はそれよりわずかに小さい、最も幅の広い点（図４Ｃ）で、幅Ｗを有する。したがって、シェービング補助部分が、フレーム３６の側壁より先に延びることはない。その結果、フレームの側壁周りの区域には妨げるものがないので、カミソリの使用者が、視覚及び／又は触感により、どの区域を剃ったかを判断できる。所望の場合、シェービング補助部分は、フレームの側壁の先へわずかに、例えば各側で２ｍｍ以下だけ延びてもよい。
【００７３】
シェービングは、上で議論されたようにレール６１によってまた容易にされ（図４Ａ、５Ｃ）、シェービングの間、使用者の肌に密着でき、カートリッジのトラッキングを潜在的に増強する。
【００７４】
上で述べられた実施形態が１対のシェービング補助部分を有するのに対し、カミソリは、別の方法では、ブレードの前、ブレードの後ろに置かれるか、又はブレードの周り全体に広がることができる、１つのシェービング補助部分を有することができる。
【実施例】
【００７５】
本発明を以下の実施例で更に説明するが、これらは請求項に記載される本発明の範囲を限定するものではない。
【００７６】
（実施例１）
一般に市販されている注入石鹸素地を使って、シェービング補助組成物の２つの対照試料が準備された。摩耗に対する抵抗力は、以下で説明される表内の「＃シェーブ」として識別される結果と共に、シェービング性能の顕著な劣化の前のシェービング回数によって決定された。処方及び結果は表１に説明されている。
【表３】
2009514645.tif 000005
【００７７】
（実施例４）
当実施例では、融点及び耐摩耗性エンハンサーが一般的な注入石鹸素地へ加えられ、３つの異なるシェービング補助組成物へ配合された。１つはポリオキシエチレンを含まないもの、及び２つの異なる量及び分子量分布のポリオキシエチレン。シェービング性能の顕著な劣化が見つかる前のシェービング回数が決定され、耐摩耗性テストが実施され、耐摩耗性テストを受けた後に残っていたシェービング補助組成物の量（パーセンテージで示された）が決定された。本明細書の実施例を通して使用される耐摩耗性テストは、上記の湿式ホイール方法を伴い、それは研磨面としてフック・ループ・クロージャーシステムのループ部分、直径２５．４ｃｍ（１０インチ）のホイール、１．１ｒａｄ／秒（１０ｒｐｍ）のホイール回転速度、２００ｇの重荷、ホイールの３０回転、幅１３．６ｍｍ、長さ３６．６ｍｍ、高さ１０ｍｍのシェービング補助組成物、を使用し、並びに接触面の中心から接触面の縁部まで５度のテーパを有する。処方及び結果は表２に説明されている。
【表４】
2009514645.tif 000006
【００７８】
以上のように、融点及び耐摩耗性エンハンサーの含有は、実施例１の対照試料１及び２と比較し、シェービング性能の劣化の前に、より多くのシェービング回数をもたらし、並びに組成物の耐摩耗特性を改善した。ポリオキシエチレンの追加は更なる改善をもたらした。
【００７９】
（実施例３）
ポリオキシエチレンを含む成形シェービング補助組成物の６つの試料が、ポリオキシエチレンを有さない対照試料が準備されたように、実施例２で使われたのと同じ条件の下に準備され、耐摩耗性がテストされた。配合及び結果は表３に説明されている。
【表５】
2009514645.tif 000007
【００８０】
以上のように、ポリオキシエチレンの量の増加は、成形シェービング補助組成物の耐摩耗性の増加をもたらす。同様に、ポリオキシエチレンの分子量の増加は耐摩耗性の増加をもたらす。最後に、ポリエチレン／ポリブテン／ミネラルオイルブレンド及びシリコーン架橋ポリマー（試料Ｆ）を両方含有すると、ポリエチレン／ポリブテン／ミネラルオイルブレンド及びシリコーン架橋ポリマー（試料Ｅ及びＧ）の１つだけを有する成形シェービング補助組成物よりも高い耐摩耗性を有する成形シェービング補助組成物がもたらされた。
【００８１】
（実施例４）
成形シェービング補助組成物の２つの試料が市販されている注入石鹸素地を使って準備され、実施例１及び２と同じ条件を使って耐摩耗性テストが実施された。１つの試料はシリコーン架橋ポリマーを含み、他の試料は対照としての役割を持った。
【表６】
2009514645.tif 000008
【００８２】
以上のように、シリコーン架橋ポリマーの含有は、成形シェービング補助組成物の耐摩耗性の増加をもたらす。
【００８３】
（実施例５）
当実施例では、注入石鹸素地が作られ、融点及び耐摩耗性エンハンサー、並びに他のシェービング補助構成要素が加えられた。試料が、実施例２で使用されたのと同じ条件下で耐摩耗性テストが実施された。
【表７】
2009514645.tif 000009
【００８４】
以上のように、より高いレベルのポリオキシエチレン及び／又はより高い分子量分布のポリオキシエチレンは、改善された耐摩耗特性をもたらした。
【００８５】
（実施例６）
注入石鹸素地が作られ、シェービング補助組成物が注入石鹸素地を使って配合され、実施例２と同じ条件を使って耐摩耗性テストが実施された。シェービング補助組成物の組成物は表６に説明されている。
【表８】
2009514645.tif 000010
【００８６】
ポリオキシエチレンの高い分子量（８．３Ｅ−１８ｇ（５，０００，０００ダルトン））の包含は、優れた耐摩耗特性を持つシェービング補助組成物をもたらす。
【００８７】
その他の実施形態
上記の実施形態がカミソリに組み込まれた成形シェービング補助組成物へ導かれる間、シェービング補助組成物はスタンドアロンのシェービング補助として使用できる。例えば、シェービング補助組成物は、石鹸バーが使用されるのとほぼ同じように、シェービングの直前に肌へつけられるバーへ成形することができる。シェービング補助組成物は、シェービング用石鹸の形でブラシと共に適用できる。シェービング補助組成物は、洗浄及び／又は肌の角質を取るための石鹸バーとして使用できる。
【００８８】
別の実施例として、特定のカートリッジが上で議論されたが、シェービング補助ホルダーは望ましいタイプのカートリッジと共に使用されてもよく、若しくはカミソリハンドルと一体になったカミソリブレードユニットを有するカミソリと共に使用されてもよい。異なるカートリッジ形状が使用される場合、シェービング補助ホルダーのフレーム形状及び／又はシェービング補助ホルダーの寸法は、それに応じて調整されてもよい。
【００８９】
更に加えて、上で説明されたウィングにはシェービング補助を適切な場所に固定するための開口が含まれていたが、シェービング補助がウィングに対して十分な接着性を示す又は異なる方法でウィングに取り付けられる場合、中身の詰まったウィングが使用されてもよい。また、上で説明された可撓性ヒンジはエラストマー材で形成されていたが、ある場合、例えば「一体成形ヒンジ」では、ヒンジが、硬質プラスチックで形成されてもよい。
【００９０】
幾つかの実施形態では、潤滑性ストリップを有するキャップが、例えばカートリッジハウジングの後部のスロット内に取り付けられて、カートリッジに含まれてもよい。潤滑性ストリップは、当技術分野において既知のように、並びに例えば米国特許第５，１１３，５８５号及び第５，４５４，１６４号に記載されるように、疎水性材料と水をろ過可能な親水性ポリマー材料との混合物を含む材料で作製されてもよく、これらの特許を参考として本明細書に組み入れる。
【００９１】
「発明を実施するための最良の形態」で引用したすべての文献は、関連部分において本明細書に参考として組み込まれるが、いずれの文献の引用も、それが本発明に関して先行技術であることを容認するものとして解釈されるべきではない。
【００９２】
本発明がその「発明を実施するための最良の形態」と併せて述べられてきたが、前述の説明は例証を意図しており、添付の請求項の範囲によって定義される発明範囲を限定するものではないと理解されるべきである。他の態様、利点、及び修正は以下の記載の範囲内である。
【００９３】
本明細書に開示される寸法及び値は、列挙された正確な数値へ厳しく制限されるものとして理解されるべきではない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【００９４】
本発明の「発明を実施するための最良の形態」で言及されているすべての文献は、関連部分において本明細書に参考として組み込まれるが、いずれの文献の引用も、それが本発明に関して先行技術であることを容認するものとして解釈されるべきではない。本書における用語のいずれかの意味又は定義が、参考として組み込まれた文献におけるその用語のいずれかの意味又は定義と相反する限りにおいて、本書においてその用語に与えられた意味又は定義が適用されるものとする。
【００９５】
本発明の特定の実施形態を説明および記述してきたが、本発明の精神および範囲から逸脱することなく他の様々な変更および修正を行えることが当業者には明白であろう。したがって、本発明の範囲内にあるそのような全ての変更および修正を、添付の特許請求の範囲で扱うものとする。
【００９６】
様々な図面における同様の参照記号は同様の要素を指示する。
【図面の簡単な説明】
【００９７】
【図１Ａ】注入石鹸素地を利用する成形シェービング補助組成物を形成するプロセスのダイアグラム。
【図１Ｂ】押出石鹸素地を利用する成形シェービング補助組成物を形成するプロセスのダイアグラム。
【図２Ａ】本発明の１つの実施形態による、カミソリヘッドとネック部分の斜視図。
【図２Ｂ】図１に示されるヘッド及びネック部分の、後ろから見た斜視図。
【図３】図１のカミソリの分解斜視図。
【図４Ａ】図１に示されるカートリッジホルダー部分の、上から見た斜視図。
【図４Ｂ】図３に示されるホルダーの、下から見た斜視図。
【図４Ｃ】図３に示されるホルダーの平面図、正面図、及び側面図。
【図４Ｄ】図３に示されるホルダーの平面図、正面図、及び側面図。
【図４Ｅ】図３に示されるホルダーの平面図、正面図、及び側面図。
【図４Ｆ】撓んだ姿勢のホルダーのウィングを示す側面図（図３Ｄにおいて、標準姿勢の側取付け部が示されている）。
【図５Ａ】シェービング補助部分が取り去られたホルダーの斜視図、平面図、正面図、及び側面図。
【図５Ｂ】シェービング補助部分が取り去られたホルダーの斜視図、平面図、正面図、及び側面図。
【図５Ｃ】シェービング補助部分が取り去られたホルダーの斜視図、平面図、正面図、及び側面図。
【図５Ｄ】シェービング補助部分が取り去られたホルダーの斜視図、平面図、正面図、及び側面図。
【図６Ａ】シェービング補助部分及びエラストマー部分が取り去られたホルダーの斜視図、平面図、正面図、及び側面図。
【図６Ｂ】シェービング補助部分及びエラストマー部分が取り去られたホルダーの斜視図、平面図、正面図、及び側面図。
【図６Ｃ】シェービング補助部分及びエラストマー部分が取り去られたホルダーの斜視図、平面図、正面図、及び側面図。
【図６Ｄ】シェービング補助部分及びエラストマー部分が取り去られたホルダーの斜視図、平面図、正面図、及び側面図。
【図１Ａ】
2009514645.tif 000011
【図１Ｂ】
2009514645.tif 000012
【図２Ａ】
2009514645.tif 000013
【図２Ｂ】
2009514645.tif 000014
【図３】
2009514645.tif 000015
【図４Ａ】
2009514645.tif 000016
【図４Ｂ】
2009514645.tif 000017
【図４Ｃ】
2009514645.tif 000018
【図４Ｄ】
2009514645.tif 000019
【図４Ｅ】
2009514645.tif 000020
【図４Ｆ】
2009514645.tif 000021
【図５Ａ】
2009514645.tif 000022
【図５Ｂ】
2009514645.tif 000023
【図５Ｃ】
2009514645.tif 000024
【図５Ｄ】
2009514645.tif 000025
【図６Ａ】
2009514645.tif 000026
【図６Ｂ】
2009514645.tif 000027
【図６Ｃ】
2009514645.tif 000028
【図６Ｄ】
2009514645.tif 000029
【国際調査報告】
2009514645.tif 000030
2009514645.tif 000031
2009514645.tif 000032